【事件の表示】
　商願２００７−１２１９５８拒絶査定不服審判事件について、次のとおり審決する。
【結　論】
　本件審判の請求は、成り立たない。
【理　由】
第１　本願商標
　本願商標は、「ＭＲ−ＬＥＤ」の文字を標準文字で表してなり、第９類「発光式又は機械式の道路標識，理化学機械器具，光学機械器具，測定機械器具，配電用又は制御用の機械器具，電気通信機械器具，電子応用機械器具及びその部品，電子出版物」を指定商品として、平成１９年１２月７日に登録出願されたものであるが、その後、指定商品については、原審における同２０年７月４日付け手続補正書により、第９類「発光式又は機械式の道路標識，測定機械器具，配電用又は制御用の機械器具，電気通信機械器具，電子応用機械器具及びその部品，電子出版物」に補正されたものである。
　
第２　原査定の拒絶の理由の要旨
　原査定は、「本願商標は、『ＭＲ−ＬＥＤ』の文字を普通に用いられる方法で書してなるが、その構成中『ＭＲ』の文字部分は商品の品番、型式等を表示するための記号として一般に広く使用されている欧文字二字の一類型である。
　また、『ＬＥＤ』の文字部分は『発光ダイオード』を意味する『Light-Emitting Diode』の略語として、『発光ダイオード』が用いられた製品を扱う業界において広く認識され、使用されていることが認められる。
　このことから、本願商標は全体として『ＭＲの型式等の、発光ダイオードを用いてなる製品』等の意味合いを容易に理解させ、これを本願指定商品中の前記文字に照応する商品に使用するときには、これに接する取引者、需要者は、その商品が『商品の型式等がＭＲの、発光ダイオードを用いてなるものであること』の意味合いを表示したものと理解するにすぎず、本願商標は、単に商品の品質（内容）を表わしたものと認める。したがって、本願商標は、商標法第３条第１項第３号に該当し、前記商品以外の商品に使用するときは、商品の品質の誤認を生じさせるおそれがあるから、商標法第４条第１項第１６号に該当する。」旨認定、判断し、本願を拒絶したものである。
　
第３　当審における証拠調べ通知
　当審において、本願商標が商標法第３条第１項第６号に該当するか否かについて、職権により証拠調べをした結果、下記の事実を発見したので、請求人に対し、同法第５６条第１項で準用する特許法第１５０条第５項の規定に基づく通知を行い、意見を求めた。
　　　　　　　　　　　　　　　　　記
１　本願商標は、「ＭＲ−ＬＥＤ」の文字を標準文字で表してなるところ、該構成中「ＬＥＤ」の文字に関して、書籍、新聞記事及びインターネット上のウェブページについて証拠調べをした検索結果によれば、次の事実が認められる（下線は審判体にて付与。）。 
 （１）「広辞苑」（第６版。株式会社岩波書店発行）には、「エル‐イー‐ディー『ＬＥＤ』」として、「（light emitting diode）
発光ダイオード
 （２）「大辞林」（第３版。株式会社三省堂発行）には、「ＬＥＤ」として、「接合部に電流が流れると光を放射するダイオード。材料によって決まった波長の光を発する。エネルギー効率に優れ、低消費電力、高速応答などの特徴をもつ。
発光ダイオード
 （３）「コンサイスカタカナ語辞典」（第３版。株式会社三省堂発行）には、「ＬＥＤ」として、「［light-emitting diode］
発光ダイオード
 （４）「英和コンピュータ用語大辞典」（第３版。日外アソシエーツ株式会社発行）には、「ＬＥＤ」として、「＜light emitting diode＞
発光ダイオード
 （５）「マグローヒル科学技術用語大辞典」（第３版。株式会社日刊工業新聞社発行）には、「ＬＥＤ」として、「light-emitting diode　
発光ダイオード
 （６）「現代用語の基礎知識２００９」（株式会社自由国民社発行）には、「
発光ダイオード
 （７）「２００９−‘１０年版　最新パソコン・ＩＴ用語事典」（第２０版。株式会社技術評論社発行）には、「ＬＥＤ」として、「Ｌight Ｅmitting Ｄiode　
発光ダイオード
 （８）「ＪＩＳ工業用語大辞典」（第５版。財団法人日本規格協会発行）には、「ＬＥＤ」として、「
発光ダイオード
 （９）「標準パソコン用語事典　最新２００９〜２０１０年版」（株式会社秀和システム発行）には、「ＬＥＤ」として、「Ｌight Ｅmitting Ｄiode　
発光ダイオード
 （１０）「日経パソコン用語事典２００９年版」（株式会社日経ＢＰ発行）には、「ＬＥＤ」として、「
発光ダイオード
 （１１）２００９年７月１９日付け日本経済新聞朝刊３ページには、「ＬＥＤ照明（きょうのことば）」の表題の下、「電流を流すと自発光する
発光ダイオード
 （１２）東芝ライテック株式会社のウェブページ中、「ＬＥＤの基礎知識」（http://www.tlt.co.jp/tlt/tleds/ledkiso/ledkiso2.htm#a01）には、「ＬＥＤとは『
発光ダイオード
 （１３）パナソニック電工株式会社のウェブページ中、「ＬＥＤの特長」（http://denko.panasonic.biz/Ebox/j_everleds/tokucyo.html）には、「LEDはLight Emitting Diode（
発光ダイオード
２　本願商標の構成中「ＭＲ」又は「ＭＲ−」の文字が、商品の品番、形式等を表す文字として使用されていることについて、新聞記事及びインターネット上のウェブページについて証拠調べを行った検索結果によれば、次の事実が認められる。 
 （１）１９９０年８月２２日付け日刊工業新聞９ページには、「小野測器、高速移動中の物体測定も可能にした光学式外径測定器発売。」の表題の下、「小野測器（社長小野義一郎氏）は高速測定ができ、線材の巻き取りライン上など高速移動中の物体の測定も可能にした光学式外径測定器『
ＭＲ−
 （２）１９９０年８月２７日付け日経産業新聞１３ページには、「移動物体の直径、誤差抑え測定――小野測器が新装置。」の表題の下、「小野測器は発光ダイオードを利用して高速で移動する物体の直径を測定する装置を九月一日、発売する。発光ダイオードの光の幅を広げたことで、従来製品に比べて被検物を高速で動かしても誤差を最小限に抑えて測定できる。発売する『
ＭＲ―
 （３）１９９３年７月２０日付け日刊工業新聞１３ページには、「ミマキエンジ、ＬＥＤプロッターに参入。まずＡ０サイズ対応機を発売。」の表題の下、「ミマキエンジニアリング（長野県小県郡東部町大字加沢１３３３の３、社長田中規幸氏、電０２６８・６４・２２８１）は、発光ダイオード（ＬＥＤ）プロッター市場に参入する。第一弾として、Ａ０サイズ対応機（写真）を二十二日に発売するのに続いてＡ１サイズ機も投入していく。主力のペンプロッターのユーザーから高速作図機を求める声が増えているのにこたえるとともに、静電プロッターの市場を切り崩すのが狙いだ。今回販売するＡ０対応機は『
ＭＲ−
 （４）１９９３年７月２２日付け日経産業新聞１３ページには、「ミマキエンジニアリング、Ａ０判に対応の普通紙プロッター。」の表題の下、「ミマキエンジニアリング（長野県東部町、田中規幸社長、０３・３７６０・５５００）はＡ０判対応の普通紙プロッター『
ＭＲ―
 （５）１９９６年４月１２日付け日経産業新聞１６ページには、「ロータリーエンコーダー、キヤノン、精度４倍――光源にＬＥＤ採用。」の表題の下、「キヤノンはＬＥＤ（発光ダイオード）を光源とした高性能のロータリーエンコーダーを開発、受注活動を始める。新たに開発した『ラメラ格子投影』方式を採用、従来の不透明なガラス板に光を当てる方式よりも精度が大幅に向上する。新製品『キヤノンロータリーエンコーダ
ＭＲ
 （６）１９９６年４月１２日付け日刊工業新聞７ページには、「キヤノン、高分解能の小型ロータリーエンコーダー受注開始」の表題の下、「キヤノン（社長御手洗冨士夫氏）は高分解能の小型ロータリーエンコーダー『
ＭＲ
 （７）１９９６年８月２９日付け日経産業新聞１０ページには、「アイワが開発、全方位型ＣＤラジカセ――側面にスピーカー６個。」の表題の下、「アイワは側面を六個のスピーカーで囲んだ円筒形のコンパクトディスク（ＣＤ）プレーヤー搭載ラジカセ『ＣＳＤ―
ＭＲ
 （８）１９９６年９月４日付け日刊工業新聞８ページには、「テック、非接触のデータコードリーダーを発売」の表題の下、「テック（社長久保光生氏）は二次元コードと通常のバーコードの両方のデータを読み取ることができる非接触のデータコードリーダー『
ＭＲ−
 （９）１９９６年９月５日付け日経産業新聞９ページには、「テックが非接触リーダー、二次元データコードとバーコード双方に対応。」の表題の下、「テックは、二次元データコードとバーコードの両方を読み取れる非接触のデータコードリーダー二機種を十月一日に発売する。二次元データコードの普及で、両コードを併用するシステムが増加しているのに対応、高速での読み取りを可能にした。発売するのはＲＳ２３２Ｃインターフェースを採用し主にパソコンと接続する『
ＭＲ―
 （１０）１９９６年９月１９日付け日本経済新聞朝刊１６ページには、「外周部にスピーカー、ＣＤ搭載ラジカセ――アイワ（ニューフェース）。」の表題の下、「◇ＣＤ搭載ラジカセ◇アイワ（０３・３３７１・７９８１）の『ＣＳＤ―
ＭＲ
 （１１）２０００年２月７日付け日刊建設工業新聞４ページには、「エーエルエス／米社のデジタル照明を発売／「変化する色」を容易に演出」の表題の下、「製品は、トラック取り付け用の『Ｃ−Ｓｅｒｉｅｓ』、１２ボルト低電圧対応のデジタルランプ『ｉＣｏｌｏｒ　
ＭＲ
 （１２）２００１年８月２８日付け日経産業新聞７ページには、「三菱電機の冷蔵庫、『におい』分解いつでも清潔、紫ＬＥＤ脱臭機構採用。」の表題の下、「三菱電機は紫色発光ダイオード（ＬＥＤ）を使った光触媒方式の脱臭機構を備えた冷蔵庫『清潔大好き』シリーズ四機種を九月十八日から順次発売する。（途中省略）【図・写真】『清潔大好き』シリーズのセンター開きタイプ（
ＭＲ―
 （１３）２００１年１０月２日付け日本経済新聞朝刊３１ページには、「光触媒方式で庫内を脱臭――三菱電機（ニューフェース）。」の表題の下、「《独立氷室タイプ容量四百五十五リットルの
ＭＲ―
 （１４）２００１年１２月２８日付け日本経済新聞朝刊２５ページには、「省エネ設計のセンター開き――三菱電機（ニューフェース）」の表題の下、「三菱電機（０１２０・１３９３６５）の省エネ設計の大型冷蔵庫『
ＭＲ―
 （１５）２００２年８月６日付け日本経済新聞朝刊２７ページには、「製氷前に水を浄化――三菱電機（ニューフェース）。」の表題の下、「三菱電機（０１２０・１３９３６５）のカルキ臭の少ない氷を作れる冷蔵庫『
ＭＲ―
 （１６）２００４年８月２５日付け読売新聞東京版朝刊８ページには、「ビタミンＣアップ機能のある冷蔵庫発売へ　ＬＥＤ照射、野菜が光合成／三菱電機」の表題の下、「三菱電機は二十四日、野菜のビタミンＣを増やす機能のある冷蔵庫『
ＭＲ−
 （１７）２００５年８月２４日付け日本経済新聞朝刊３３ページには、「野菜のビタミン増やす――三菱電機（ニューフェース）」の表題の下、「三菱電機（０１２０・１３９３６５）の野菜の鮮度向上と低騒音化を実現したノンフロン冷蔵庫『Ｗｃｌａｓｓ　
ＭＲ−
 （１８）２００５年９月１５日付けＦｕｊｉＳａｎｋｅｉ　Ｂｕｓｉｎｅｓｓ　ｉ．１６ページには、「【ニュースリリース】ノンフロン冷蔵庫６機種。」の表題の下、「ＬＥＤの光によるビタミンＣの増量に加え、波長３７５ナノメートルの光の照射により野菜に含まれるポリフェノールを購入時に比べ約１０％増やす。低速運転時の音は静かな１４デシベルを達成。『サイレント製氷』により自動製氷機の騒音も約４０デシベルに低減。価格は各オープン（容量４４８リットルの『
ＭＲ−
 （１９）２００６年３月３日付け鉄鋼新聞３ページには、「社長／全社一丸で問題を解決する会社に／高機能材も営業強化／平井、平井俊夫氏／」の表題の下、「００年に気体小流量計測に関する校正業務を行う認定業者として日本で初めて認定されて以来、気体流量計を校正する標準器として
ＭＲ
 （２０）２００６年１０月９日付け毎日新聞東京版朝刊８ページには、「ビジネス情報：青色ＬＥＤで鮮度保つ−−三菱電機」の表題の下、「三菱電機は、青色ＬＥＤ（発光ダイオード）の光を照射することで、野菜の鮮度を長持ちさせる機能を持つ冷蔵庫＝写真＝の新製品５機種（
ＭＲ―
ＭＲ―
 （２１）２００７年８月２７日付け日経産業新聞　５ページには、「エレクトロニクス――三菱電機、ニコン、東芝。」の表題の下、「◆食材をおいしく冷凍できる冷蔵庫『
ＭＲ―
 （２２）２００８年５月２日付けＦｕｊｉＳａｎｋｅｉ　Ｂｕｓｉｎｅｓｓ　ｉ．８ページには、「アダプタなしで読み書き　４７種対応メモリーリーダーライター　エレコムが発売」の表題の下、「パソコン周辺機器メーカーのエレコム（大阪市中央区）は、携帯電話やデジタルカメラなどの記録媒体として利用されている４７種類ものメモリーカードのデータをアダプタなしで読み書きできるメモリーリーダーライター『
ＭＲ−
 （２３）２００９年２月２５日付けＦｕｊｉＳａｎｋｅｉ　Ｂｕｓｉｎｅｓｓ　ｉ．１９ページには、「【新商品】『
ＭＲ−
 （２４）キャノン株式会社のウェブページ中、「キャノン：アクセサリー詳細　［ストロボ関連］ストロボ　マクロリングライトMR-14EX」（http://cweb.canon.jp/camera/eos/accessary/detail/2356a001.html）には、「型番　
ＭＲ−
 （２５）日本ビクター株式会社のウェブページ中、「ＡＶコード　オーディオ編　イヤホン＆イヤーパッド」（http://www2.jvc-victor.co.jp/jvc/avcord/index.asp?id_2=39）には、商品の品番として、「
ＭＲ−
ＭＲ−
ＭＲ−
ＭＲ−
ＭＲ−
 （２６）エレコム株式会社のウェブページ中、「メモリリーダライタ」（http://www2.elecom.co.jp/data-media/memory-rw/index.asp）には、製品として「
ＭＲ−
ＭＲ−
ＭＲ−
ＭＲ−
 （２７）株式会社マイクロリサーチのウェブページ中、「アナログモデム製品」（http://www.mrl.co.jp/product/mr560e5.htm）には、「外付け型データ/FAXモデム　ＲＳ２３２Ｃ　Ｖ．９０対応　
ＭＲ
ＭＲ
ＭＲ
ＭＲ
ＭＲ
 （２９）オリンパス株式会社のウェブページ中、「ミュージックプレーヤーサポート」（http://www.olympus.co.jp/jp/support/cs/npls/common/index_mr.cfm）には、「ＨＤＤミュージックプレーヤー
ＭＲ−
ＭＲ−
ＭＲ−
ＭＲ−
 （３０）マクセル精器株式会社のウェブページ中、「製品一覧　ＩＣカードリーダライタ」（http://www.maxei.co.jp/products/ic_card_rw/index.html）には、型番として、「
ＭＲ−
ＭＲ−
ＭＲ−
ＭＲ−
ＭＲ−
ＭＲ−
 （３１）株式会社ジェスコのウェブページ中、「ＯＰＴＩＬＥＤ」（http://www.jesco-l.co.jp/optiled/index.html）には、「ＡＣＣＥＮＴ２Ｗ（ＬＥＤ−
ＭＲ
ＭＲ
 
第４　証拠調べ通知に対する請求人の意見
　前記第３の証拠調べ通知に対して、請求人からは、何らの意見、応答もない。
 
第５　当審の判断
　本願商標は、前記第１のとおり、「ＭＲ−ＬＥＤ」の文字を標準文字で表してなるものである。
　そして、前記第３の平成２１年７月２４日付けの証拠調べ通知書により通知した記載の事実によれば、本願商標構成中前半の「ＭＲ」及び「ＭＲ−」の文字は、商品の品番、形式などを表す文字として普通に使用されているものであり、また、構成中後半の「ＬＥＤ」の文字は、「発光ダイオード」を意味する「Light-Emitting Diode」の略語として、発光ダイオードを使用してなる商品に普通に使用されていることが認められる。
　そうすると、本願商標を本願指定商品中「発光ダイオードを使用してなる商品」に使用しても、これに接する取引者・需要者は、「品番（形式）がＭＲの発光ダイオードを使用してなる商品」と認識するにとどまり、自他商品の識別標識として認識し得ないものであるから、需要者が何人かの業務に係る商品であることを認識することができないものであり、また、前記商品以外の商品に使用するときは、商品の品質について誤認を生ずるそれがあるものとするのが相当である。
　したがって、本願商標は、商標法第３条第１項第６号及び同法第４条第１項第１６号に該当するものといわざるを得ないから、本願は、この理由をもって拒絶すべきものである。
　なお、前記認定のとおり、本願商標は、結果的に商標法第３条第１項第６号により拒絶すべきものであったところ、この原査定との適用条項の違いについては、元々、両条項は同一の法律要件（登録要件の有無）に関して定めたものであって、実質的に同趣旨のものとみて差し支えないものと判断した。
　よって、結論のとおり審決する。